(57)【要約】【課題】  晒やベスト型のシャツ、腰用サポーター等により、胸部を締め付けた場合に生じる不都合を解消すること等。【解決手段】  本発明に係る体形補正用上衣は、前身頃部と後ろ身頃部とにより、少なくとも肩線から腹部までの上半身の胴体を包む体形補正用上衣であって、伸縮素材による生地からなる。また、当該体形補正用上衣の前身頃部は、肩部分における前記後ろ身頃との境界から腹部までの面積を少なくとも等しくする生地を、当該面積が重なるようにして２枚以上の一定枚数重ね縫製されたものであること、を特徴とする体形補正用上衣である。【選択図】    図７
2006089868.tif 000002
【特許請求の範囲】
【請求項１】
前身頃部と後ろ身頃部とにより、少なくとも肩線から腹部までの上半身の胴体を包む体形補正用上衣であって、
当該体形補正用上衣は伸縮素材による生地からなり、
当該体形補正用上衣の前身頃部は、肩部分における前記後ろ身頃との境界から腹部までの面積を少なくとも等しくする生地を、当該面積が重なるようにして２枚以上の一定枚数重ね縫製されたものであること、
を特徴とする体形補正用上衣。
【請求項２】
上衣の前身頃部は、上衣の前中心線を中心として左右対称であり、
上衣のフロントネックラインが丸首形またはＶネック形であって、
かつ、
上衣の前身頃における前中心線を直線Ａ１とし、
前記直線Ａ１と水平に交わる直線であり、上衣のフロントネックラインと肩線とが接する一方の接点ａ１から、上衣のフロントネックラインと肩線とが接する他方の接点ｂ１までの直線を直線Ｂ１とし、
前記直線Ａ１と前記直線Ｂ１とが交差する交点を交点ｃ１とし、
前記直線Ａ１と上衣のフロントネックラインが交わる交点を交点ｄ１として、
（１）前記直線Ａ１のうち、前記交点ｃ１から前記交点ｄ１までの長さが１４.３ｃｍ以下であり、
（２）前記直線Ｂ１の長さが２２.４ｃｍ以下であること、
を特徴とする請求項１記載の体形補正用上衣。
【請求項３】
上衣の前身頃部は、上衣の前中心線を中心として左右対称であり、
当該上衣には袖がなく、
かつ、
上衣の一方のアームホールラインと肩線とが接する接点ａ２を通過し、上衣の前身頃における前中心線に垂直に交わる直線を直線Ａ２とし、
前記上衣の一方のアームホールラインと脇線とが接する接点ｂ２を通過し、前記上衣の前中心線に平行な直線を直線Ｂ２とし、
前記接点ａ２から前記接点ｂ２までの直線を直線Ｃ２とし、
前記直線Ａ２と前記直線Ｂ２とが交差する交点を交点ｃ２として、
（１）前記直線Ａ２のうち、前記接点ａ２から前記交点ｃ２までの長さが７.４ｃｍ以下であり、
（２）前記直線Ｂ２のうち、前記接点ｂ２から前記交点ｃ２までの長さが２０.３ｃｍ以下であり、
（３）前記直線Ｃ２の任意の点から、前記上衣の一方のアームホールラインの任意の点までを結ぶ直線であって、かつ前記直線Ｃ２に垂直に交わる直線のうち、長さが最も長い直線を直線Ｄ２とし、当該直線Ｄ２の長さが６ｃｍ以下であること、
を特徴とする請求項１記載の体形補正用上衣。
【請求項４】
前記体型補正用上衣の後ろ身頃部の全部又は一部について、２枚以上の生地を重ねて縫製されていないこと、
を特徴とする請求項１記載の体形補正用上衣。
【請求項５】
前身頃部及び後ろ身頃部とにより、少なくとも肩線から腹部までの上半身の胴体を包む体形補正用上衣を製造する方法であって、
当該体形補正用上衣は伸縮素材による生地からなり、
前記前身頃部は、
（１）肩部分における前記後ろ身頃部との境界から腹部までの面積を少なくとも等しくする生地を、当該面積が重なるようにして２枚以上の一定枚数重ねる工程と、
（２）当該生地を２枚以上重ねた状態で、前記肩部分における後ろ身頃部との境界部分と、衿ぐり部分と、袖ぐり部分と、脇下部分における後ろ身頃部との境界部分と、裾部分とを縫製する工程と、
により縫製すること、
を特徴とする体形補正用上衣の製造方法。
【発明の詳細な説明】
【技術分野】
【０００１】
本発明は、体形補正用上衣に関し、特に、性同一性障害を有する女性が着用する体形補正用上衣に関するものである。
【背景技術】
【０００２】
「性同一性障害」とは、生物学的には正常であり、しかも自分の肉体がどちらの性別に属しているかをはっきり認識していながら、その反面で、人格的には自分は別の性に属していると確信している状態などをいう。具体的には、生物学的には男性であるが、人格的には女性である場合（Male to Female（ＭＴＦ））と、生物学的には女性であるが、人格的には男性である場合（Female to Male（ＦＴＭ））とがある。
【０００３】
このうち、ＦＴＭの方にとっては、人格的には男性だと本人が確信しているにも関わらず、外形的には乳房が隆起しており、自分の体の形状に違和感を感じる事になる。よって、ＦＴＭの方は、女性の体を本人が認識している人格である男性に近づけるために、何らかの手段により胸部を圧迫して乳房を押さえつけ、胸を男性のように平らにすることを望むのである。
【０００４】
胸部を平らに補正する従来技術として、例えば、晒（さらし）を胸部にきつく巻きつけることで乳房の膨らみを潰す方法がある。また同様に、腰用サポーターを胸部にきつく巻きつけて締めることで、乳房の膨らみを潰す方法がある。
【０００５】
さらに、胸部の下部（アンダーバスト）までをカバーするベスト型のシャツが存在する。このベスト型のシャツは、比較的伸縮性の無い生地（木綿など）により縫製されている。そして、着用者は、着用者にフィットする本来のサイズよりも小さいサイズのベスト型のシャツを選択して着るのである。この際には、無理やり乳房をベスト型のシャツに押し込み、シャツの前面のファスナーを締めるのである。このようにして、乳房の膨らみを潰す方法もある。
【０００６】
以上の先行技術に関する文献を、出願人は特に把握していない。
【発明の開示】
【発明が解決しようとする課題】
【０００７】
しかしながら、上記従来技術にあっては、以下の不都合がある。
【０００８】
まず、晒（さらし）を胸部にきつく巻きつける方法は、巻いた晒がずれ落ちてしまった場合、人目があるため外出先で再度きつく巻きなおすことが難しい。また、晒の上に服を着た場合、不自然な盛り上がりが表に現れることがあり、不恰好である。さらに、晒の着用部分では水分の蒸発を妨げられるため、蒸れて暑く、あせもやニキビのもとになってしまう。また、晒は胸部をきつく締め付けるので、呼吸をする際に苦しい。
【０００９】
次に、腰用サポーターにより胸部を締め付ける方法は、着用部分で水分の蒸発を妨げられるため、蒸れて暑く、あせもやニキビのもとになってしまう。また、サポーター自体が腰用で硬いため、胸部の皮膚がサポーターの生地と擦れて傷になることもある。そして、腰用サポーター着用の上に服を着た場合、やはり不自然な盛り上がりが表に現れる。さらに、胸部をきつく締め付けるので、呼吸をする際に胸部が広がりにくく苦しい。
【００１０】
また、ベスト型のシャツにより胸部を締め付ける方法は、着用した上に服を着た場合、ファスナー部分が不自然な盛り上がりとして表に表れる。さらに、乳房が大きい着用者がベスト型のシャツにより胸部を締め付けると、乳房の下の部分（アンダーバスト部分）が押さえられず、浮いた状態になり不自然である。すなわち、着用者にとって理想的である男性の胸部のような平らに近い状態に乳房を潰すことが困難なのである。また、着用部分では水分の蒸発を妨げられるため、蒸れて暑く、あせもやニキビのもとになってしまう。さらに、ベスト型のシャツは、通信販売などによりオーダーメイドで生産されることが多いのであるが、着用者が実際に着用してみるとサイズがうまく合わないこともよくある。そのうえ、胸部をきつく締め付けるので、呼吸をする際に胸部が広がりにくく苦しい。特に、ベスト型のシャツの裾部分は、胃の辺り（胸部の下部）を締め付けるため、食事の際には非常に苦しくなる。
【課題を解決するための手段】
【００１１】
１、上記課題を解決するため、本発明に係る体形補正用上衣は、前身頃部と後ろ身頃部とにより、少なくとも肩線から腹部までの上半身の胴体を包む体形補正用上衣である。
【００１２】
また、当該体形補正用上衣は伸縮素材による生地からなる。そして、当該体形補正用上衣の前身頃部は、肩部分における前記後ろ身頃との境界から腹部までの面積を少なくとも等しくする生地を、当該面積が重なるようにして２枚以上の一定枚数重ね縫製されたものであること、を特徴とする。
【００１３】
ここで、「上衣の前身頃部」とは、衣服の身頃（衣服の肩線から裾までの胴を包む部分）のうち、衣服の側面の垂直方向ラインを基準として胴体の前の部分をいう。また、「上衣の後ろ身頃部」とは、衣服の身頃（衣服の肩線から裾までの胴を包む部分）のうち、衣服の側面の垂直方向ラインを基準として胴体の後ろの部分をいう。「上衣」とは、単に上半身に着る衣服を意味し、アンダーウェアであるかアウターウェアであるかの別を問わない。「伸縮素材」とは、伸び縮みする素材であり、「伸縮素材による生地」の例として、水着の裏地などに使用されるパワーネットによる生地が該当する。
【００１４】
「体形補正用上衣の前身頃部は、肩部分における後ろ身頃との境界から腹部までの面積を少なくとも等しくする生地を、当該面積が重なるようにして２枚以上の一定枚数重ね縫製されたものである」とは、（１）肩部分における後ろ身頃との境界から腹部までの面積を少なくとも等しくする生地を、（２）当該後ろ身頃との境界から腹部までの面積が重なるようにして２枚以上重ね、（３）縫製することによって前身頃部が構成されること、を限定したものである。
【００１５】
以上の定義は以下の発明にも適用される。
【００１６】
本発明に係る体形補正用上衣をＦＴＭの方が着用するのであるが、この際には着用者の体形にフィットする本来のサイズよりも１〜２サイズ小さい体形補正用上衣を選択することになる。すなわち、着用者の体形に本来フィットするサイズが「Ｍ」であれば、「Ｓ」サイズを採用する等である。特に、トップバストを通過する胸部の周囲長の寸法が、着用者本来の寸法よりもかなり小さめになっている体形補正用上衣を着用者は選択する。他の、肩まわりやウエスト等のサイズは、着用者の体形にフィットする本来のサイズ通りでもよい。
【００１７】
伸縮素材でない通常の生地からなる上衣の場合、着用者の体形にフィットする本来のサイズよりも小さいサイズの上衣を着ることは物理的に困難である。しかし、本発明の体形補正用上衣は、パワーネット等の伸縮素材による生地からなるため、着用者本来のサイズよりも小さいサイズでも着用できる。そして、着用後は、伸縮素材による生地からなる本発明の体形補正用上衣が、着用者のバストを圧迫し、着用者の胸部を男性のように平らに（いわゆる鳩胸のように）補正する。これにより、本発明の体形補正用上衣を着用したＦＴＭの方は、男性のような外見を手に入れることができる。さらに、本発明の体形補正用上衣は、パワーネット等の伸縮素材による生地からなるため、着用者が呼吸や飲食を行う際に胸部が適度に膨らむことを妨げない。すなわち、晒や腰用サポーター、ベスト型シャツを着用した場合に、呼吸や飲食の際に着用者が感じる苦しさが生じないのである。
【００１８】
また、本発明の体形補正用上衣の前身頃部は、肩部分における後ろ身頃との境界から腹部までの面積を少なくとも等しくする生地を、当該面積が重なるようにして２枚以上の一定枚数重ね縫製されたものである。よって、肩部分における前記後ろ身頃との境界から腹部までの前身頃部分の厚さが同じである。そのため、晒や腰用サポーター、ベスト型のシャツなどを着用し、その上に服を着た場合に現れる不自然な盛り上がりが出ず、摩擦による痒みも防止できる。さらに、本発明の体形補正用上衣の前身頃部は、２枚以上の生地を重ねているため、着用した場合に乳首が体形補正用上衣の表面に浮きでてくるという不都合を回避できる。
【００１９】
また、本発明の体形補正用上衣の前身頃部は、肩部分における後ろ身頃との境界から腹部まであり、全面的に伸縮素材を採用している。よって、バストが大きい着用者であっても、平らに補正された胸がはみ出ることがない。例えば、従来の晒や腰用サポーター、ベスト型のシャツなどでは、胸が平らに補正されることによって、アンダーバスト部分が不自然に盛り上がる場合があった。しかし、本発明の体形補正用上衣はこれを防止することができるのである。
【００２０】
さらに、従来のベスト型のシャツなどでは、着用者のバストの大きさによって胸囲の寸法を定める必要があったため、オーダーメイドの受注後生産が主流であった。しかし、本発明の体形補正用上衣は伸縮素材による生地からなるため、一定のサイズの形の既製品による見込み生産でも対応することができる。
【００２１】
２、また、他の発明に係る体形補正用上衣は、上記１、の体形補正用上衣の構成に加え、上衣の前身頃部が上衣の前中心線を中心として左右対称であり、上衣のフロントネックラインが丸首形またはＶネック形である、体形補正用上衣である。
【００２２】
さらに、当該体形補正用上衣は、上衣の前身頃における前中心線を直線Ａ１とし、前記直線Ａ１と水平に交わる直線であり、上衣のフロントネックラインと肩線とが接する一方の接点ａ１から、上衣のフロントネックラインと肩線とが接する他方の接点ｂ１までの直線を直線Ｂ１とし、前記直線Ａ１と前記直線Ｂ１とが交差する交点を交点ｃ１とし、前記直線Ａ１と上衣のフロントネックラインが交わる交点を交点ｄ１として、（１）前記直線Ａ１のうち、前記交点ｃ１から前記交点ｄ１までの長さが１４.３ｃｍ以下であり、（２）前記直線Ｂ１の長さが２２.４ｃｍ以下であること、を特徴とする。
【００２３】
ここで、「上衣の前身頃における前中心線」とは、上衣の前身頃部の中心部を通る、前身頃部の縦方向に垂直な直線である。また、「上衣のフロントネックライン」とは、上衣の前衿ぐりのラインのことをいう。「上衣の肩線」とは、アパレル業者にとってはごく一般的な名称であるが、敢えて定義をすると、着用者が上衣を着用した場合における、上衣の身頃の肩のラインのことである。
【００２４】
以上の定義は以下の発明にも適用される。
【００２５】
本発明に係る体形補正用上衣についての理解を容易にするため、図１に本発明に係る体形補正用上衣の前身頃部分を図示し、図２に本発明に係る体形補正用上衣の後ろ身頃部分を図示した。そして、本発明に係る体形補正用上衣における、上記各接点、交点及び直線が夫々どの部分であるかを、図１に図示した。
【００２６】
ＦＴＭの方が、本来のサイズよりも１〜２サイズ小さい通常の体形補正用上衣を着用した場合、着用者のバストが圧迫され、着用者の胸部は男性のように平らに補正される。しかし、フロントネックラインが大きく開いている体形補正用上衣を、比較的胸が大きいＦＴＭの方が着用した場合は、押さえつけた胸の谷間が見えてしまうという不都合がある。すなわち、着用により圧迫されたバストは、空間を求めて上下左右に移動するが、これにより胸の谷間ができてしまうのである。そして、着用者が屈んだときなど、フロントネックラインが大きく開いていると、容易に胸の谷間が見えてしまうのである。これは、外見を男のように見せたいＦＴＭの方にとっては、好まざることである。
【００２７】
本発明に係る体形補正用上衣は、フロントネックラインについて上記のように数値限定を行ったものである。この数値限定は、図３に示す調査データから求めたものであり、以下、この図３の調査データについて説明する。
【００２８】
まず図３（ａ）は、本発明に係る体形補正用上衣の代表的なサイズと、当該サイズごとの着用者の想定身体データを、表形式にまとめたものである。同図に示すように、「ＸＸＳ」、「ＸＳ」、「Ｓ（標準サイズ）」、「ＭＳ」、「Ｍ」、「ＭＬ」、「Ｌ」の各サイズが存在し、夫々に想定している着用者の身体データが異なるのである。このサイズの区分分けは、日本人女性のほとんどの体形をカバーできるように行っている。
【００２９】
次に図３（ｂ）は、図３（ａ）で区分したサイズごとの、本発明に係る体形補正用上衣の各部基準寸法を表形式で表している。ここで、Ｌ１〜Ｌ１０の体形補正用上衣の対象部位は、図１及び２に図示したＬ１〜Ｌ１０と同じ部位を意味している。
【００３０】
そして、図３（ｃ）は、図３（ｂ）に図示したサイズごとの各部基準寸法を中心値とした、望ましい寸法値の範囲を表している。この寸法値の範囲も、図３（ｂ）と同様に、体形補正用上衣の対象部位ごとＬ１〜Ｌ１０に範囲の値を定めている。
【００３１】
この図３（ｂ）及び図３（ｃ）により、サイズごと対象部位ごとの、基準寸法の値と、当該値を中心値とした望ましい範囲の値を導きだすことができる。例えば、体形補正用上衣の対象部位Ｌ１について、サイズ「ＸＸＳ」の基準寸法が「１０.４ｃｍ」であり、基準寸法からの望ましい範囲が「±３ｃｍ」であることがわかる。すなわち、体形補正用上衣のサイズ「ＸＸＳ」については、対象部位Ｌ１の長さを「７.４〜１３.４ｃｍ」にするのが望ましいことが分かる。
【００３２】
この図３（ｂ）及び図３（ｃ）における、各部位の「基準寸法」及び「望ましい範囲」が何を表しているかについて説明する。図１及び２に図示するように、Ｌ１及びＬ２は「前身頃のフロントネックライン（前衿ぐり）」に関する部位の長さであり、Ｌ３〜Ｌ５は「前身頃のアームホールライン（前袖ぐり）」に関する部位の長さであり、Ｌ６〜Ｌ１０はそれ以外の部位の長さに関するものである。そして、図３（ｂ）及び図３（ｃ）におけるＬ１及びＬ２の基準寸法及び範囲は、体形補正用上衣を着用したときに、胸の谷間が見えてしまうという不都合の解消するのに適切な基準寸法及び範囲を表す。すなわち、「前身頃のフロントネックライン」をサイズ毎に所定のこのような範囲の値とすることによって、体形補正用上衣により補正され、平らになった胸の谷間を適切に隠すことができるのである。
【００３３】
また、図３（ｂ）及び図３（ｃ）におけるＬ３〜Ｌ５の基準寸法及び範囲は、体形補正用上衣を着用したときに、「前身頃のアームホールライン」から脇の肉が漏れて見えてしまうという不都合を解消するのに適切な基準寸法及び範囲を表す。すなわち、本発明の体形補正用上衣の着用により圧迫されたバストは、空間を求めて上下左右に移動するが、これにより前身頃のアームホールラインから脇の肉が漏れて見えてしまう場合がある。当該不都合を解消するには、図３（ｂ）及び図３（ｃ）におけるＬ３〜Ｌ５の基準寸法及び範囲が適切である。そして、図３（ｂ）及び図３（ｃ）におけるＬ６〜Ｌ１０の基準寸法及び範囲は、上記Ｌ１〜Ｌ５の基準寸法及び範囲に対応させて、タンクトップとして見栄えが良い形にするために適切な基準寸法及び範囲を表す。
【００３４】
そして、図９には、図３（ｂ）及び図３（ｃ）におけるＬ１〜Ｌ１０の基準寸法及び範囲を越えた場合の不都合を、Ｌ１〜Ｌ１０の対象部位ごとに表にまとめた。すなわち、（１）基準寸法及び範囲を＋（プラス）範囲で越えた場合の不都合と、（２）基準寸法及び範囲を−（マイナス）範囲で越えた場合の不都合と、に分けて表にまとめた。この図９も、図３と同様に、調査によって確認し、割り出したものである。
【００３５】
上記「（１）前記直線Ａ１のうち、前記交点ｃ１から前記交点ｄ１までの長さ」が図１におけるＬ１に該当し、上記「（２）前記直線Ｂ１の長さ」が図１におけるＬ２に該当する。そして、フロントネックラインに関するＬ１及びＬ２の長さを特定する事により、体形補正用上衣を着用したときに、胸の谷間が見えてしまうという不都合の解消ができるのである。
【００３６】
ここで、Ｌ１の長さを１４.３ｃｍ以下というように限定したのは、図３（ｂ）及び図３（ｃ）における、サイズ「Ｌ」のＬ１の基準寸法が「１１.３ｃｍ」であり、基準寸法を中心値としたＬ１の範囲が「±３ｃｍ」であるため、Ｌ１の最大値が「１４.３ｃｍ」となるからである。すなわち、比較的大柄なＦＴＭの方用の体形補正用上衣であっても、Ｌ１が「１４.３ｃｍ」以下であれば、体形補正用上衣を着用したときに、胸の谷間が見えてしまうという不都合の解消ができるのである。
【００３７】
同様に、Ｌ２の長さを２２.４ｃｍ以下というように限定したのは、図３（ｂ）及び図３（ｃ）における、サイズ「Ｌ」のＬ２の基準寸法が「１８.４ｃｍ」であり、基準寸法を中心値としたＬ２の範囲が「+４〜−２ｃｍ」であるため、Ｌ２の最大値が「２２.４ｃｍ」となるからである。すなわち、比較的大柄なＦＴＭの方用の体形補正用上衣であっても、Ｌ２が「２２.４ｃｍ」以下であれば、体形補正用上衣を着用したときに、胸の谷間が見えてしまうという不都合の解消ができるのである。
【００３８】
本発明に係る体形補正用上衣は、上記Ｌ１及びＬ２における最大の長さを限定しているため、体形補正用上衣を着用して胸を平らに補正した際に、胸の谷間が見えてしまうという不都合を解消することができるのである。すなわち、上記Ｌ１及びＬ２における長さを、上記のように限定する事により、第三者に胸の谷間が見られることを防止可能な体形補正用上衣を実現する事ができる。
【００３９】
３、また、他の発明に係る体形補正用上衣は、上記１、の体形補正用上衣の構成に加え、上衣の前身頃部が、上衣の前中心線を中心として左右対称であり、当該上衣には袖がない、体形補正用上衣である。
【００４０】
さらに、当該体形補正用上衣は、上衣の一方のアームホールラインと肩線とが接する接点ａ２を通過し、上衣の前身頃における前中心線に垂直に交わる直線を直線Ａ２とし、前記上衣の一方のアームホールラインと脇線とが接する接点ｂ２を通過し、前記上衣の前中心線に平行な直線を直線Ｂ２とし、前記接点ａ２から前記接点ｂ２までの直線を直線Ｃ２とし、前記直線Ａ２と前記直線Ｂ２とが交差する交点を交点ｃ２として、（１）前記直線Ａ２のうち、前記接点ａ２から前記交点ｃ２までの長さが７.４ｃｍ以下であり、（２）前記直線Ｂ２のうち、前記接点ｂ２から前記交点ｃ２までの長さが２０.３ｃｍ以下であり、（３）前記直線Ｃ２の任意の点から、前記上衣の一方のアームホールラインの任意の点までを結ぶ直線であって、かつ前記直線Ｃ２に垂直に交わる直線のうち、長さが最も長い直線を直線Ｄ２とし、当該直線Ｄ２の長さが６ｃｍ以下であること、を特徴とする。
【００４１】
ここで、「上衣のアームホールライン」とは、上衣の袖ぐりラインのことである。また、「上衣の脇線」とは、アパレル業者にとってはごく一般的な名称であるが、敢えて定義をすると、着用者が上衣を着用した場合における、上衣の身頃の脇下のラインのことをいう。
【００４２】
以上の定義は以下の発明にも適用される。
【００４３】
そして、本発明に係る体形補正用上衣における、上記各接点、交点及び直線が夫々どの部分であるかを、図１に図示した。
【００４４】
ＦＴＭの方が、本来のサイズよりも１〜２サイズ小さい通常の体形補正用上衣を着用した場合、着用者のバストが圧迫され、着用者の胸部は男性のように平らに補正される。しかし、前身頃のアームホールラインが大きく開いている体形補正用上衣を、比較的胸が大きいＦＴＭの方が着用した場合は、押さえつけた胸の肉が前身頃のアームホールラインから漏れて見えてしまうという不都合がある。すなわち、着用により圧迫されたバストは、空間を求めて左右に移動するが、これにより前身頃のアームホールラインから肉が漏れ出てしまうのである。これは、外見を男のように見せたいＦＴＭの方にとっては、やはり好まざることである。
【００４５】
本発明に係る体形補正用上衣は、前身頃のアームホールラインについて上記のように数値限定を行ったものである。この数値限定は、図３に示す調査データから求めたものである。そして、このような数値限定により、前身頃のアームホールラインから脇の肉が漏れ出て、見えてしまうという不都合を解消することができるのである。
【００４６】
上記「（１）前記直線Ａ２のうち、前記接点ａ２から前記交点ｃ２までの長さ」が図１におけるＬ３に該当し、上記「（２）前記直線Ｂ２のうち、前記接点ｂ２から前記交点ｃ２までの長さ」が図１におけるＬ４に該当し、上記「（３）前記直線Ｄ２の長さ」が図１におけるＬ５に該当する。
【００４７】
また、図３（ｂ）及び図３（ｃ）におけるＬ３〜Ｌ５の基準寸法及び範囲は、体形補正用上衣を着用したときに、アームホールラインから脇の肉が漏れて見えてしまうという不都合を解消するのに適切な基準寸法及び範囲を表す。そして、アームホールラインに関するＬ３〜Ｌ５の長さを特定する事により、体形補正用上衣を着用したときに、アームホールラインから脇の肉が漏れて見えてしまうという不都合の解消ができるのである。
【００４８】
ここで、Ｌ３の長さを７.４ｃｍ以下というように限定したのは、図３（ｂ）及び図３（ｃ）における、サイズ「Ｌ」のＬ３の基準寸法が「６.４ｃｍ」であり、基準寸法を中心値としたＬ３の範囲が「+１〜−２ｃｍ」であるため、Ｌ３の最大値が「７.４ｃｍ」となるからである。すなわち、比較的大柄なＦＴＭの方用の体形補正用上衣であっても、Ｌ３が「７.４ｃｍ」以下であれば、体形補正用上衣を着用したときに、アームホールラインから脇の肉が漏れて見えてしまうという不都合の解消ができるのである。
【００４９】
また、Ｌ４の長さを２０.３ｃｍ以下というように限定したのは、図３（ｂ）及び図３（ｃ）における、サイズ「Ｌ」のＬ４の基準寸法が「１８.３ｃｍ」であり、基準寸法を中心値としたＬ４の範囲が「±２ｃｍ」であるため、Ｌ４の最大値が「２０.３ｃｍ」となるからである。すなわち、比較的大柄なＦＴＭの方用の体形補正用上衣であっても、Ｌ４が「２０.３ｃｍ」以下であれば、体形補正用上衣を着用したときに、胸の谷間が見えてしまうという不都合の解消ができるのである。
【００５０】
また、Ｌ５の長さを６ｃｍ以下というように限定したのは、図３（ｂ）及び図３（ｃ）における、サイズ「Ｌ」のＬ５の基準寸法が「３.０ｃｍ」であり、基準寸法を中心値としたＬ５の範囲が「＋３〜−２ｃｍ」であるため、Ｌ５の最大値が「６.０ｃｍ」となるからである。すなわち、比較的大柄なＦＴＭの方用の体形補正用上衣であっても、Ｌ５が「６.０ｃｍ」以下であれば、体形補正用上衣を着用したときに、胸の谷間が見えてしまうという不都合の解消ができるのである。
【００５１】
４、また、他の発明に係る体形補正用上衣は、上記１、の体形補正用上衣の構成に加え、前記体型補正用上衣の後ろ身頃部の全部又は一部について、２枚以上の生地を重ねて縫製されていないこと、を特徴とする体形補正用上衣である。
【００５２】
本発明に係る体型補正用上衣の後ろ身頃部の全部は、伸縮素材による１枚の生地からなるため、着用の際に着やすいという利点がある。すなわち、伸縮素材による生地を何枚も重ねて前身頃部及び後ろ身頃部を縫製すると、着用する際に伸びる程度が少なく、非常に着にくくなってしまう。上記のように、本発明に係る体型補正用上衣の前身頃部は、２枚以上の一定枚数の伸縮素材による生地を重ねて縫製しているため、後ろ身頃部を２枚以上の伸縮素材による生地を重ねて縫製した場合は、着用が難しくなってしまうのである。
【００５３】
よって、本発明の体型補正用上衣の後ろ身頃部の全部は、伸縮素材による１枚の生地からなるため、着用者にとって本来よりも小さいサイズの体型補正用上衣であっても、着用が容易になるのである。
【００５４】
５、また、他の発明に係る体形補正用上衣の製造方法は、前身頃部及び後ろ身頃部とにより、少なくとも肩線から腹部までの上半身の胴体を包む体形補正用上衣を製造する方法である。
【００５５】
さらに、当該体形補正用上衣は伸縮素材による生地からなり、当該体形補正用上衣の前身頃部は、（１）肩部分における前記後ろ身頃部との境界から腹部までの面積を少なくとも等しくする生地を、当該面積が重なるようにして２枚以上の一定枚数重ねる工程と、（２）当該生地を２枚以上重ねた状態で、前記肩部分における後ろ身頃部との境界部分と、衿ぐり部分と、袖ぐり部分と、脇下部分における後ろ身頃部との境界部分と、裾部分とを縫製する工程と、により縫製すること、を特徴とする体形補正用上衣の製造方法である。
【００５６】
本発明に係る製造方法により製造した体形補正用上衣は、パワーネット等の伸縮素材による生地からなるため、着用者本来のサイズよりも小さいサイズでも着用できる。そして、着用後は、伸縮素材による生地からなる本発明の体形補正用上衣が、着用者のバストを圧迫し、着用者の胸部を男性のように平らに（いわゆる鳩胸のように）補正する。これにより、本発明に係る製造方法により製造した体形補正用上衣を着用したＦＴＭの方は、男性のような外見を手に入れることができるのである。さらに、本発明に係る製造方法により製造した体形補正用上衣は、パワーネット等の伸縮素材による生地からなるため、着用者が呼吸や飲食を行う際に、胸部が適度に膨らむことを妨げない。すなわち、晒や腰用サポーター、ベスト型シャツを着用した場合に、呼吸や飲食の際に着用者が感じる苦しさが生じないのである。
【００５７】
６、また、図３（ｂ）に数値として図示した、Ｌ１〜Ｌ１０についてのサイズごとの基準寸法は、図８に図示するように、胸部の周囲長に比例した数値として表すこともできる。すなわち、体型補正用上衣の「胸部の周囲長＝Ｌ６＋Ｌ１０」の長さに応じて、Ｌ１〜５及びＬ７〜９の夫々の基準寸法（ｃｍ）を求めることができるのである。
【００５８】
図８（ａ）は、本発明に係る体形補正用上衣の代表的なサイズと、当該サイズごとの体形補正用上衣の胸部の周囲長（Ｌ６＋Ｌ１０）と周囲長の標準Ｓサイズとの差分を、表形式にまとめたものである。同図に示すように、「ＸＸＳ」、「ＸＳ」、「Ｓ（標準サイズ）」、「ＭＳ」、「Ｍ」、「ＭＬ」、「Ｌ」の各サイズが存在し、夫々に胸部の周囲長（Ｌ６＋Ｌ１０）が異なる。この図８（ａ）におけるサイズの区分は、図３（ａ）におけるサイズの区分と同じものを表している。
【００５９】
次に図８（ｂ）は、図８（ａ）で区分したサイズごとの、本発明に係る体形補正用上衣の各部基準寸法を表形式で表している。ここで、Ｌ１〜Ｌ１０の体形補正用上衣の対象部位は、図３（ｂ）と同じく、図１及び２に図示したＬ１〜Ｌ１０と同じ部位を意味している。
【００６０】
また、この図８（ｂ）は、Ｓサイズの胸部の周囲長およびＳサイズのＬ１〜Ｌ１０の基準寸法をもとにして、胸部の周囲長が変化した場合にＬ１〜Ｌ１０の基準寸法がどのように変化するかも表している。例えば、ＭサイズのＬ２の基準寸法を求める場合は、図８（ａ）よりＭサイズの胸部の周囲長は「標準Ｓサイズとの差分」で「＋５.０」であり、図８（ｂ）より「１７.０＋（＋０.７×１）＝１７.７ｃｍ」と求めることができる。同様に、ＬサイズのＬ３の基準寸法を求める場合は、図８（ａ）よりＬサイズの胸部の周囲長は「標準Ｓサイズとの差分」で「＋１０.０」であり、図８（ｂ）より「４.８＋（＋０.７５×２）＝６.３ｃｍ」と求めることができる。
【００６１】
すなわち、「サイズａにおけるＬｂの基準寸法（ａおよびｂは変数）」は、図８（ａ）及び（ｂ）より、（１）「サイズａの胸部の周囲長−標準Ｓサイズの胸部の周囲長」をｃｍで計算し、（２）「ＬｂにおけるサイズＳの基準寸法＋（１）の結果×Ｌｂの比例係数」により求められるのである。例えば、「サイズＸＸＳにおけるＬ１の基準寸法」は、図８（ａ）及び（ｂ）より、（１）「サイズＸＸＳの胸部の周囲長（５９.０）−標準Ｓサイズの胸部の周囲長（６４.０）」をｃｍで計算し（−５ｃｍ）、（２）「Ｌ１におけるサイズＳの基準寸法（１０.７）＋（−５ｃｍ）×Ｌ１の比例係数（３／５０）＝１０.４」により求められる。
【００６２】
そして、図８（ｃ）は、図８（ｂ）に図示したサイズごとの各部基準寸法を中心値とした、望ましい寸法値の範囲を表している。この寸法値の範囲は、図３（ｃ）と同じものを表す。
【００６３】
これら図８（ａ）、（ｂ）、（ｃ）により、サイズごと対象部位ごとの、基準寸法の値と、当該値を中心値とした望ましい範囲の値を導きだすことができる。
【００６４】
なお、図３（ａ）、（ｂ）により求められる、サイズごと対象部位ごとの基準寸法と、図８（ａ）、（ｂ）により求められる、サイズごと対象部位ごとの基準寸法とは、mm単位で異なる場合が生じる。これは、四捨五入等により生じる誤差であり、特に問題となるものではない。
【００６５】
以上の発明により、前述した課題を解決しようとするものである。
【発明の効果】
【００６６】
本発明の体形補正用上衣は、着用者のバストを圧迫し、着用者の胸部を男性のように平らに（いわゆる鳩胸のように）補正する。これにより、本発明の体形補正用上衣を着用したＦＴＭの方は、男性のような外見を手に入れることができるのである。
【００６７】
また、着用時において、本発明の体形補正用上衣のネックラインやアームホールラインから、補正されたバストの肉がはみ出たり、漏れ見えてしまうという不都合を解消することができるのである。
【００６８】
さらに、体型補正用上衣の後ろ身頃部の全部が、伸縮素材による１枚の生地からなる場合は、着用者にとって本来よりも小さいサイズの体型補正用上衣であっても、着用が容易になるのである。
【発明を実施するための最良の形態】
【００６９】
以下、本発明の実施の形態について、図４から図７を用いて説明する。
【００７０】
１、本発明に係る体型補正用上衣に使用する生地について
【００７１】
図４は、本発明に係る体型補正用上衣に使用する生地（縫製の材料としての布地）についての説明図である。図４（ａ）の前身頃用の生地と、図４（ｂ）の後ろ身頃用の生地とにより、本発明に係る体型補正用上衣を縫製する。この図４（ａ）の前身頃用の生地と、図４（ｂ）の後ろ身頃用の生地とは、肩部分と脇下部分と裾部分とに、縫製のために縫い代をとっておく。当該縫い代は、おおよそ１ｃｍ程度あれば十分である。また、図４（ａ）の前身頃用の生地と、図４（ｂ）の後ろ身頃用の生地とによって製造する体型補正用上衣が、少なくとも肩線から腹部までの胴体を包めるように裁断する。すなわち、前身頃と後ろ身頃とを肩線で縫製でき、かつ、裾丈は少なくとも腹部にまで及ぶようにする。
【００７２】
さらに、図４（ａ）の前身頃用の生地と、図４（ｂ）の後ろ身頃用の生地とは、伸縮素材による生地からなり、メッシュ（網目織り）である。これは、本発明に係る体型補正用上衣をアンダーウェアとして着用することが多いため、通気性を良くした方が好ましいためである。また、生地に使用する伸縮素材の例として、水着の裏地等に使用されているパワーネットが伸縮性の観点から適している。このように、メッシュやパワーネットを採用することにより、着用した際の蒸れや暑さを防止できるのである。また、パワーネット等の伸縮素材による生地により体型補正用上衣を縫製することによって、着用者が呼吸や飲食を楽に行うことができる。すなわち、晒や腰用サポーター、ベスト型シャツを着用した場合、呼吸や飲食を行った際に着用者が感じる苦しさが生じないのである。さらに、伸縮素材は一般的に生地として比較的柔らかく、メッシュは通気性を良くするため、肌に優しい体型補正用上衣を製造することができるのである。
【００７３】
そして、図４（ｃ）に示すように、図４（ａ）の前身頃用の生地を３枚（Ｆ１、Ｆ２、Ｆ３）、図４（ｂ）の後ろ身頃用の生地を１枚（Ｂ）、裁断して用意しておく。この３枚の前身頃用の生地は、肩部分における後ろ身頃との境界（縫い代部分）から腹部までの面積を少なくとも等しくしている。本実施形態では、図４（ｃ）に示すように、前身頃用の生地として、全く同一の面積である生地を３枚使用することとする。また、これら生地の裁断の際には、体型補正用上衣が完成した後で横（水平）方向に服が伸びやすいように、生地の伸びの強い方向を調節して裁断する。これは、着用者の本来の胸囲サイズよりも小さい体型補正用上衣を着用することになるため、着用の際に横（水平）方向に服が伸びたほうが着用し易いからである。
【００７４】
また、図４（ｄ）に示すように、３.０〜３.５ｃｍ幅の縁取りテープ（バインダー）Ｔを、数ｍに渡って裁断し、用意しておく。この縁取りテープは、衿ぐり部分と、袖ぐり部分に、共通して使用するものである。
【００７５】
２、本発明に係る体型補正用上衣の縫製手順について
【００７６】
続いて、図５及び６を参照して、図４の生地を使用した、本発明に係る体型補正用上衣の縫製手順について説明する。
【００７７】
（１）まず、前身頃用の生地３枚（Ｆ１、Ｆ２、Ｆ３）を重ねたものと、後ろ身頃用の生地（Ｂ）とを、中表にして、裏側から脇縫いを行う（手順１）。この脇縫いは、左右の脇下について行い、後ろ身頃側を上にして、前身頃用の生地と後ろ身頃用の生地との縫い代をミシンで縫う。この「後ろ身頃側を上にして」とは、外表にした際の表面が、後ろ身頃の縫い代となるように、という意味である。また、脇縫いの際には、中表にしてミシンをかけるため、図示しているように、体型補正用上衣の完成時の表地（Ｆ１の表、Ｂの表）が裏面になっている。
【００７８】
（２）次に、脇縫いを終えた前身頃用の生地３枚（Ｆ１、Ｆ２、Ｆ３）を重ねたものと、後ろ身頃用の生地（Ｂ）とを、外表にして、表側から脇ステッチを行う（手順２）。この脇ステッチも左右の脇下について行い、手順１で行った脇縫いの反対側をミシンで縫うことになる。また、脇ステッチの際には、外表にしてミシンをかけるため、図示しているように、体型補正用上衣の完成時の表地（Ｆ１の表、Ｂの表）が表面になっている。
【００７９】
（３）続いて、生地を外表にしたままで、前身頃用の生地３枚（Ｆ１、Ｆ２、Ｆ３）を重ねたものと、後ろ身頃用の生地（Ｂ）とを、出来上がり線を基準に生地の縫い代を内側（裏面）に１ｃｍ程度折って、表側から裾ステッチを行う（手順３）。この裾ステッチの際には、ステッチを５cm程度重ね、当該ステッチを重ねた部分の縫い始めと縫い終わりの夫々のきわで糸を切る。
【００８０】
（４）次に、生地を再度中表にして、前身頃用の生地３枚（Ｆ１、Ｆ２、Ｆ３）を重ねたものと、後ろ身頃用の生地（Ｂ）とを、肩部分の縫い代の後ろ身頃側を上にして、肩縫いを行う（手順４）。この「後ろ身頃側を上にして」とは、外表にした際の表面が、後ろ身頃の縫い代となるように、という意味である。この肩縫いも左右の肩部分について行う。
【００８１】
（５）続いて、生地をまた外表にして、肩縫い代を後ろに片返し、表側から肩ステッチを行う（手順５）。この、肩ステッチも左右の肩部分について行う。
【００８２】
（６）次に、生地を外表にしたままで、縁取りテープ（バインダーＴ）を衿ぐり部分に被せ、表側から衿ぐりバインダー仮止めを行う（手順６）。この際には、縁取りテープ（バインダーＴ）の端を約２ｃｍ重ね、ステッチは５cm程度重ねる。
【００８３】
（７）続いて、生地を外表にしたままで、縁取りテープ（バインダーＴ）を裏面から衿ぐりバインダーステッチを行う（手順７）。この衿ぐりバインダーステッチの際には、ステッチを５cm程度重ね、当該ステッチを重ねた部分の縫い始めと縫い終わりの夫々のきわで糸を切る。
【００８４】
（８）次に、生地を外表にしたままで、縁取りテープ（バインダーＴ）を袖ぐり部分に被せ、表側から袖ぐりバインダー仮止めを行う（手順８）。この際には、縁取りテープ（バインダーＴ）の端を約２ｃｍ重ね、ステッチは５cm程度重ねる。この、袖ぐりバインダー仮止めも左右の袖ぐりについて行う。
【００８５】
（９）続いて、生地を外表にしたままで、縁取りテープ（バインダーＴ）を裏面から袖ぐりバインダーステッチを行う（手順９）。この袖ぐりバインダーステッチの際には、ステッチを５cm程度重ね、当該ステッチを重ねた部分の縫い始めと縫い終わりの夫々のきわで糸を切る。この、袖ぐりバインダーステッチも左右の袖ぐりについて行う。
【００８６】
以上のように、本発明に係る体型補正用上衣の前身頃部は、前身頃の生地を２枚以上重ねた状態で、肩部分における後ろ身頃部との境界部分と、衿ぐり部分と、袖ぐり部分と、脇下部分における後ろ身頃部との境界部分と、裾部分とを縫製するのである。このようにして、本発明に係る体型補正用上衣の縫製が終了し、完成するが、上記説明した縫製は全て３本針（もしくは２本針）のフラットロックミシンを用いている。これは、本発明に係る体型補正用上衣は着用者が生地を伸ばして着用することになるため、縫製部分がほどけないようにするためである。
【００８７】
３、本発明に係る体型補正用上衣の使用方法について
【００８８】
続いて、図７を参照して、本発明に係る体型補正用上衣の使用方法について説明する。
【００８９】
本発明に係る体形補正用上衣をＦＴＭの方が着用するのであるが、この際には着用者の体形にフィットする本来のサイズよりも１〜２サイズ小さい体形補正用上衣を選択することになる。すなわち、着用者の体形に本来フィットするサイズが「Ｍ」であれば、「Ｓ」サイズを採用する等である。特に、トップバストを通過する胸部の周囲長の寸法が、着用者本来の寸法よりもかなり小さめになっている体形補正用上衣を着用者は選択する。他の、肩まわりやウエスト等のサイズは、着用者の体形にフィットする本来のサイズ通りでもよい。
【００９０】
伸縮素材でない通常の生地からなる上衣の場合、着用者の体形にフィットする本来のサイズよりも小さいサイズの上衣を着ることは物理的に困難である。しかし、本発明の体形補正用上衣は、パワーネット等の伸縮素材による生地からなるため、着用者本来のサイズよりも小さいサイズでも着用できる。そして、着用後は、伸縮素材による生地からなる本発明の体形補正用上衣が、着用者のバストを圧迫し、着用者の胸部を男性のように平らに（いわゆる鳩胸のように）補正する。これにより、本発明の体形補正用上衣を着用したＦＴＭの方は、男性のような外見を手に入れることができる。また、パワーネット等の伸縮素材による生地により、体型補正用上衣が縫製されているので、着用者が呼吸や飲食を楽に行うことができる。すなわち、晒や腰用サポーター、ベスト型シャツを着用した場合に、呼吸や飲食の際に着用者が感じる苦しさが生じないのである。
【００９１】
ここで、本発明の体形補正用上衣を着用した場合の、側面図が図７（ａ）であり、前面図が図７（ｂ）である。そして、本発明の体形補正用上衣の補正後の胸について説明したのが図７（ｃ）である。
【００９２】
また、本発明の体形補正用上衣の前身頃部は、肩部分における後ろ身頃との境界から腹部までの面積を少なくとも等しくする生地を、当該面積が重なるようにして２枚以上の一定枚数重ね縫製されたものである。よって、肩部分における前記後ろ身頃との境界から腹部までの前身頃部分の厚さが同じである。そのため、晒や腰用サポーター、ベスト型のシャツなどを着用し、その上に服を着た場合に現れる不自然な盛り上がりが出ず、摩擦による痒みも防止できる。さらに、本発明の体形補正用上衣の前身頃部は、２枚以上の生地を重ねているため、着用した場合に乳首が体形補正用上衣の表面に浮きでてくるという不都合を回避できる。
【００９３】
また、本発明の体形補正用上衣の前身頃部は、肩部分における後ろ身頃との境界から腹部まであり、全面的に伸縮素材を採用している。よって、バストが大きい着用者であっても、平らに補正された胸がはみ出ることがない。例えば、従来の晒や腰用サポーター、ベスト型のシャツなどでは、胸が平らに補正されることによって、アンダーバスト部分が不自然に盛り上がる場合があった。しかし、本発明の体形補正用上衣はこれを防止することができるのである。
【００９４】
さらに、従来のベスト型のシャツなどでは、着用者のバストの大きさによって胸囲の寸法を定める必要があったため、オーダーメイドの受注後生産が主流であった。しかし、本発明の体形補正用上衣は伸縮素材による生地からなるため、一定のサイズの形の既製品による見込み生産でも対応できる。
【００９５】
以上、本実施形態では、前身頃用の生地を３枚、後ろ身頃用の生地を１枚として説明したが、前身頃用の生地は少なくとも２枚以上であれば良い。
【００９６】
４、その他
【００９７】
図１及び図２に示す体形補正用上衣の各部位については、図３又は図８に図示する基準寸法及び範囲の通りに製造するのが好ましい。図３及び８におけるＬ１〜Ｌ２の基準寸法及び範囲は、本発明に係る体形補正用上衣を着用した際に、フロントネックラインから胸の谷間が見えないようにするために効果的な、基準寸法及び範囲を表す。また、図３及び８におけるＬ３〜Ｌ５の基準寸法及び範囲は、本発明に係る体形補正用上衣を着用した際に、前身頃のアームホールラインから脇の肉が漏れないようにするために効果的な、基準寸法及び範囲を表す。そして、図３及び８におけるＬ６〜Ｌ１０の基準寸法及び範囲は、Ｌ１〜Ｌ５の基準寸法及び範囲に対応させて、タンクトップとして見栄えが良い形にするために適切な基準寸法及び範囲を表す。
【００９８】
そして、本発明に係る体形補正用上衣は、実施形態で説明した以外にも、様々な変更が可能である。例えば、前身頃部を３枚重ねであるのが適切だとして説明したが、４枚や５枚等でも良い。また、前身頃部を構成する複数枚の生地は、肩部分における後ろ身頃との境界から腹部までの面積を少なくとも等しくしていればよいため、必ずしも同一の形状の生地である必要はない。
【図面の簡単な説明】
【００９９】
【図１】体型補正用上衣の前身頃における、各部位の説明図である。
【図２】体型補正用上衣の後ろ身頃における、各部位の説明図である。
【図３】体型補正用上衣の、サイズ別の基準寸法等の説明図１である。
【図４】体型補正用上衣に使用する生地である。
【図５】体型補正用上衣の縫製手順の説明図１である。
【図６】体型補正用上衣の縫製手順の説明図２である。
【図７】体型補正用上衣の使用説明図である。
【図８】体型補正用上衣の、サイズ別の基準寸法等の説明図２である。
【図９】望ましい寸法値の範囲を越えた場合の不都合を説明する図である。
【符号の説明】
【０１００】
Ｆ１  前身頃の１枚目の生地
Ｆ２  前身頃の２枚目の生地
Ｆ３  前身頃の３枚目の生地
Ｂ    後ろ身頃の１枚目の生地
Ｔ    縁取りテープ（バインダー）
【図１】
2006089868.tif 000003
【図２】
2006089868.tif 000004
【図３】
2006089868.tif 000005
【図４】
2006089868.tif 000006
【図５】
2006089868.tif 000007
【図６】
2006089868.tif 000008
【図７】
2006089868.tif 000009
【図８】
2006089868.tif 000010
【図９】
2006089868.tif 000011
【手続補正書】
【提出日】平成16年12月28日(2004.12.28)
【手続補正１】
【補正対象書類名】特許請求の範囲
【補正対象項目名】請求項１
【補正方法】変更
【補正の内容】
【請求項１】
前身頃部と後ろ身頃部とにより、肩線から腹部までの上半身の胴体を包む体形補正用上衣であって、
当該体形補正用上衣は伸縮素材による生地からなり、
当該体形補正用上衣の前身頃部は、肩部分における前記後ろ身頃部との境界から腹部までの形を等しくする生地を、当該形が重なるようにして２枚以上の一定の特定枚数重ね縫製されたものであること、
を特徴とする体形補正用上衣。
【手続補正２】
【補正対象書類名】特許請求の範囲
【補正対象項目名】請求項２
【補正方法】変更
【補正の内容】
【請求項２】
上衣の前身頃部は、上衣の前中心線を中心として左右対称であり、
上衣のフロントネックラインが丸首形またはＶネック形であって、
かつ、
上衣の前身頃における前中心線を直線Ａ１とし、
前記直線Ａ１と垂直に交わる直線であり、上衣のフロントネックラインと肩線とが接する一方の接点ａ１から、上衣のフロントネックラインと肩線とが接する他方の接点ｂ１までの直線を直線Ｂ１とし、
前記直線Ａ１と前記直線Ｂ１とが交差する交点を交点ｃ１とし、
前記直線Ａ１と上衣のフロントネックラインが交わる交点を交点ｄ１として、
（１）前記直線Ａ１のうち、前記交点ｃ１から前記交点ｄ１までの長さが７.４ｃｍ以上、かつ１４.３ｃｍ以下であり、
（２）前記直線Ｂ１の長さが１４.４ｃｍ以上、かつ２２.４ｃｍ以下であること、
を特徴とする請求項１記載の体形補正用上衣。
【手続補正３】
【補正対象書類名】特許請求の範囲
【補正対象項目名】請求項３
【補正方法】変更
【補正の内容】
【請求項３】
上衣の前身頃部は、上衣の前中心線を中心として左右対称であり、
当該上衣には袖がなく、
かつ、
上衣の一方のアームホールラインと肩線とが接する接点ａ２を通過し、上衣の前身頃における前中心線に垂直に交わる直線を直線Ａ２とし、
前記上衣の一方のアームホールラインと脇線とが接する接点ｂ２を通過し、前記上衣の前中心線に平行な直線を直線Ｂ２とし、
前記接点ａ２から前記接点ｂ２までの直線を直線Ｃ２とし、
前記直線Ａ２と前記直線Ｂ２とが交差する交点を交点ｃ２として、
（１）前記直線Ａ２のうち、前記接点ａ２から前記交点ｃ２までの長さが２ｃｍ以上、かつ７.４ｃｍ以下であり、
（２）前記直線Ｂ２のうち、前記接点ｂ２から前記交点ｃ２までの長さが１４.２ｃｍ以上、かつ２０.３ｃｍ以下であり、
（３）前記直線Ｃ２の任意の点から、前記上衣の一方のアームホールラインの任意の点までを結ぶ直線であって、かつ前記直線Ｃ２に垂直に交わる直線のうち、長さが最も長い直線を直線Ｄ２とし、当該直線Ｄ２の長さが０.８ｃｍ以上、かつ６ｃｍ以下であること、
を特徴とする請求項１記載の体形補正用上衣。
【手続補正４】
【補正対象書類名】特許請求の範囲
【補正対象項目名】請求項５
【補正方法】変更
【補正の内容】
【請求項５】
前身頃部及び後ろ身頃部とにより、肩線から腹部までの上半身の胴体を包む体形補正用上衣を製造する方法であって、
当該体形補正用上衣は伸縮素材による生地からなり、
前記前身頃部は、
（１）肩部分における前記後ろ身頃部との境界から腹部までの形を等しくする生地を、当該形が重なるようにして２枚以上の一定の特定枚数重ねる工程と、
（２）当該生地を２枚以上重ねた状態で、前記肩部分における後ろ身頃部との境界部分と、衿ぐり部分と、袖ぐり部分と、脇下部分における後ろ身頃部との境界部分と、裾部分とを縫製する工程と、
により縫製すること、
を特徴とする体形補正用上衣の製造方法。
【手続補正５】
【補正対象書類名】明細書
【補正対象項目名】００１１
【補正方法】変更
【補正の内容】
【００１１】
１、上記課題を解決するため、本発明に係る体形補正用上衣は、前身頃部と後ろ身頃部とにより、肩線から腹部までの上半身の胴体を包む体形補正用上衣である。
【手続補正６】
【補正対象書類名】明細書
【補正対象項目名】００１２
【補正方法】変更
【補正の内容】
【００１２】
また、当該体形補正用上衣は伸縮素材による生地からなる。そして、当該体形補正用上衣の前身頃部は、肩部分における前記後ろ身頃部との境界から腹部までの形を等しくする生地を、当該形が重なるようにして２枚以上の一定の特定枚数重ね縫製されたものであること、を特徴とする。
【手続補正７】
【補正対象書類名】明細書
【補正対象項目名】００１４
【補正方法】変更
【補正の内容】
【００１４】
「体形補正用上衣の前身頃部は、肩部分における後ろ身頃部との境界から腹部までの形を等しくする生地を、当該形が重なるようにして２枚以上の一定の特定枚数重ね縫製されたものである」とは、（１）肩部分における後ろ身頃部との境界から腹部までの形を等しくする生地を、（２）当該後ろ身頃部との境界から腹部までの形が重なるようにして２枚以上重ね、（３）縫製することによって前身頃部が構成されること、を限定したものである。
【手続補正８】
【補正対象書類名】明細書
【補正対象項目名】００２２
【補正方法】変更
【補正の内容】
【００２２】
さらに、当該体形補正用上衣は、上衣の前身頃における前中心線を直線Ａ１とし、前記直線Ａ１と垂直に交わる直線であり、上衣のフロントネックラインと肩線とが接する一方の接点ａ１から、上衣のフロントネックラインと肩線とが接する他方の接点ｂ１までの直線を直線Ｂ１とし、前記直線Ａ１と前記直線Ｂ１とが交差する交点を交点ｃ１とし、前記直線Ａ１と上衣のフロントネックラインが交わる交点を交点ｄ１として、（１）前記直線Ａ１のうち、前記交点ｃ１から前記交点ｄ１までの長さが７.４ｃｍ以上、かつ１４.３ｃｍ以下であり、（２）前記直線Ｂ１の長さが１４.４ｃｍ以上、かつ２２.４ｃｍ以下であること、を特徴とする。
【手続補正９】
【補正対象書類名】明細書
【補正対象項目名】００４０
【補正方法】変更
【補正の内容】
【００４０】
さらに、当該体形補正用上衣は、上衣の一方のアームホールラインと肩線とが接する接点ａ２を通過し、上衣の前身頃における前中心線に垂直に交わる直線を直線Ａ２とし、前記上衣の一方のアームホールラインと脇線とが接する接点ｂ２を通過し、前記上衣の前中心線に平行な直線を直線Ｂ２とし、前記接点ａ２から前記接点ｂ２までの直線を直線Ｃ２とし、前記直線Ａ２と前記直線Ｂ２とが交差する交点を交点ｃ２として、（１）前記直線Ａ２のうち、前記接点ａ２から前記交点ｃ２までの長さが２ｃｍ以上、かつ７.４ｃｍ以下であり、（２）前記直線Ｂ２のうち、前記接点ｂ２から前記交点ｃ２までの長さが１４.２ｃｍ以上、かつ２０.３ｃｍ以下であり、（３）前記直線Ｃ２の任意の点から、前記上衣の一方のアームホールラインの任意の点までを結ぶ直線であって、かつ前記直線Ｃ２に垂直に交わる直線のうち、長さが最も長い直線を直線Ｄ２とし、当該直線Ｄ２の長さが０.８ｃｍ以上、かつ６ｃｍ以下であること、を特徴とする。
【手続補正１０】
【補正対象書類名】明細書
【補正対象項目名】００５４
【補正方法】変更
【補正の内容】
【００５４】
５、また、他の発明に係る体形補正用上衣の製造方法は、前身頃部及び後ろ身頃部とにより、肩線から腹部までの上半身の胴体を包む体形補正用上衣を製造する方法である。
【手続補正１１】
【補正対象書類名】明細書
【補正対象項目名】００５５
【補正方法】変更
【補正の内容】
【００５５】
さらに、当該体形補正用上衣は伸縮素材による生地からなり、当該体形補正用上衣の前身頃部は、（１）肩部分における前記後ろ身頃部との境界から腹部までの形を少なくとも等しくする生地を、当該形が重なるようにして２枚以上の一定の特定枚数重ねる工程と、（２）当該生地を２枚以上重ねた状態で、前記肩部分における後ろ身頃部との境界部分と、衿ぐり部分と、袖ぐり部分と、脇下部分における後ろ身頃部との境界部分と、裾部分とを縫製する工程と、により縫製すること、を特徴とする体形補正用上衣の製造方法である。
【手続補正書】
【提出日】平成17年5月6日(2005.5.6)
【手続補正１】
【補正対象書類名】特許請求の範囲
【補正対象項目名】請求項１
【補正方法】変更
【補正の内容】
【請求項１】
前身頃部と後ろ身頃部とにより、肩線から腹部までの上半身の胴体を包む体形補正用上衣であって、
当該体形補正用上衣は着用者本来のサイズよりも小さいサイズで着用でき、着用者のバストを圧迫し、胸部を平らにする伸縮素材による生地からなり、
当該体形補正用上衣の前身頃部は、肩部分における前記後ろ身頃部との境界から腹部までの形を等しくする生地を、当該形が重なるようにして２枚以上重ね縫製されたものであると共に、前記肩部分における後ろ身頃部との境界部分と、衿ぐり部分と、袖ぐり部分と、脇下部分における後ろ身頃部との境界部分と、裾部分とが、着用者が生地を伸ばして着用することになるため、縫製部分がほどけないように、２本針若しくは３本針のミシンを用いて縫製されたこと、
を特徴とする体形補正用上衣。
【手続補正２】
【補正対象書類名】特許請求の範囲
【補正対象項目名】請求項５
【補正方法】変更
【補正の内容】
【請求項５】
前身頃部及び後ろ身頃部とにより、肩線から腹部までの上半身の胴体を包む体形補正用上衣を製造する方法であって、
当該体形補正用上衣は着用者本来のサイズよりも小さいサイズで着用でき、着用者のバストを圧迫し、胸部を平らにする伸縮素材による生地からなり、
前記前身頃部は、
（１）肩部分における前記後ろ身頃部との境界から腹部までの形を等しくする生地を、当該形が重なるようにして２枚以上重ねる工程と、
（２）当該生地を２枚以上重ねた状態で、前記肩部分における後ろ身頃部との境界部分と、衿ぐり部分と、袖ぐり部分と、脇下部分における後ろ身頃部との境界部分と、裾部分とを、着用者が生地を伸ばして着用することになるため、縫製部分がほどけないように、２本針若しくは３本針のミシンを用いて縫製する工程と、
により縫製すること、
を特徴とする体形補正用上衣の製造方法。
【手続補正３】
【補正対象書類名】明細書
【補正対象項目名】００１２
【補正方法】変更
【補正の内容】
【００１２】
また、当該体形補正用上衣は着用者本来のサイズよりも小さいサイズで着用でき、着用者のバストを圧迫し、胸部を平らにする伸縮素材による生地からなる。そして、当該体形補正用上衣の前身頃部は、肩部分における前記後ろ身頃部との境界から腹部までの形を等しくする生地を、当該形が重なるようにして２枚以上重ね縫製されたものであると共に、上記肩部分における後ろ身頃部との境界部分と、衿ぐり部分と、袖ぐり部分と、脇下部分における後ろ身頃部との境界部分と、裾部分とが、着用者が生地を伸ばして着用することになるため、縫製部分がほどけないように、２本針若しくは３本針のミシンを用いて縫製されたこと、を特徴とする。
【手続補正４】
【補正対象書類名】明細書
【補正対象項目名】００１４
【補正方法】変更
【補正の内容】
【００１４】
「体形補正用上衣の前身頃部は、肩部分における後ろ身頃部との境界から腹部までの形を等しくする生地を、当該形が重なるようにして２枚以上重ね縫製されたものであると共に、上記肩部分における後ろ身頃部との境界部分と、衿ぐり部分と、袖ぐり部分と、脇下部分における後ろ身頃部との境界部分と、裾部分とが、着用者が生地を伸ばして着用することになるため、縫製部分がほどけないように、２本針若しくは３本針のミシンを用いて縫製された」とは、（１）肩部分における後ろ身頃部との境界から腹部までの形を等しくする生地を、（２）当該後ろ身頃部との境界から腹部までの形が重なるようにして２枚以上重ね、縫製されたものである共に、（３）上記肩部分における後ろ身頃部との境界部分と、衿ぐり部分と、袖ぐり部分と、脇下部分における後ろ身頃部との境界部分と、裾部分とが、着用者が生地を伸ばして着用することになるため、縫製部分がほどけないように、２本針若しくは３本針のミシンを用いて縫製されることによって前身頃部が構成されること、を限定したものである。
【手続補正５】
【補正対象書類名】明細書
【補正対象項目名】００５５
【補正方法】変更
【補正の内容】
【００５５】
さらに、当該体形補正用上衣は着用者本来のサイズよりも小さいサイズで着用でき、着用者のバストを圧迫し、胸部を平らにする伸縮素材による生地からなり、当該体形補正用上衣の前身頃部は、（１）肩部分における前記後ろ身頃部との境界から腹部までの形を少なくとも等しくする生地を、当該形が重なるようにして２枚以上重ねる工程と、（２）当該生地を２枚以上重ねた状態で、前記肩部分における後ろ身頃部との境界部分と、衿ぐり部分と、袖ぐり部分と、脇下部分における後ろ身頃部との境界部分と、裾部分とを、着用者が生地を伸ばして着用することになるため、縫製部分がほどけないように、２本針若しくは３本針のミシンを用いて縫製する工程と、により縫製すること、を特徴とする体形補正用上衣の製造方法である。
【手続補正書】
【提出日】平成17年7月13日(2005.7.13)
【手続補正１】
【補正対象書類名】特許請求の範囲
【補正対象項目名】請求項１
【補正方法】変更
【補正の内容】
【請求項１】
前身頃部と後ろ身頃部とにより、肩線から腹部までの上半身の胴体を包む体形補正用上衣であって、
当該体形補正用上衣は、着用者のバストを圧迫し、胸部を平らにする伸縮素材による生地からなり、
当該体形補正用上衣の前身頃部は、肩部分における前記後ろ身頃部との境界から腹部までの形を等しくする生地を、当該形が重なるようにして２枚以上重ね縫製されたものであると共に、前記肩部分における後ろ身頃部との境界部分と、衿ぐり部分と、袖ぐり部分と、脇下部分における後ろ身頃部との境界部分と、裾部分とが、着用者が生地を伸ばして着用することになるため、縫製部分がほどけないように、２本針若しくは３本針のミシンを用いて縫製されたこと、
を特徴とする体形補正用上衣。
【手続補正２】
【補正対象書類名】特許請求の範囲
【補正対象項目名】請求項５
【補正方法】変更
【補正の内容】
【請求項５】
前身頃部及び後ろ身頃部とにより、肩線から腹部までの上半身の胴体を包む体形補正用上衣を製造する方法であって、
当該体形補正用上衣は、着用者のバストを圧迫し、胸部を平らにする伸縮素材による生地からなり、
前記前身頃部は、
（１）肩部分における前記後ろ身頃部との境界から腹部までの形を等しくする生地を、当該形が重なるようにして２枚以上重ねる工程と、
（２）当該生地を２枚以上重ねた状態で、前記肩部分における後ろ身頃部との境界部分と、衿ぐり部分と、袖ぐり部分と、脇下部分における後ろ身頃部との境界部分と、裾部分とを、着用者が生地を伸ばして着用することになるため、縫製部分がほどけないように、２本針若しくは３本針のミシンを用いて縫製する工程と、
により縫製すること、
を特徴とする体形補正用上衣の製造方法。
【手続補正３】
【補正対象書類名】明細書
【補正対象項目名】００１２
【補正方法】変更
【補正の内容】
【００１２】
また、当該体形補正用上衣は、着用者のバストを圧迫し、胸部を平らにする伸縮素材による生地からなる。そして、当該体形補正用上衣の前身頃部は、肩部分における前記後ろ身頃部との境界から腹部までの形を等しくする生地を、当該形が重なるようにして２枚以上重ね縫製されたものであると共に、上記肩部分における後ろ身頃部との境界部分と、衿ぐり部分と、袖ぐり部分と、脇下部分における後ろ身頃部との境界部分と、裾部分とが、着用者が生地を伸ばして着用することになるため、縫製部分がほどけないように、２本針若しくは３本針のミシンを用いて縫製されたこと、を特徴とする。
【手続補正４】
【補正対象書類名】明細書
【補正対象項目名】００５５
【補正方法】変更
【補正の内容】
【００５５】
さらに、当該体形補正用上衣は、着用者のバストを圧迫し、胸部を平らにする伸縮素材による生地からなり、当該体形補正用上衣の前身頃部は、（１）肩部分における前記後ろ身頃部との境界から腹部までの形を少なくとも等しくする生地を、当該形が重なるようにして２枚以上重ねる工程と、（２）当該生地を２枚以上重ねた状態で、前記肩部分における後ろ身頃部との境界部分と、衿ぐり部分と、袖ぐり部分と、脇下部分における後ろ身頃部との境界部分と、裾部分とを、着用者が生地を伸ばして着用することになるため、縫製部分がほどけないように、２本針若しくは３本針のミシンを用いて縫製する工程と、により縫製すること、を特徴とする体形補正用上衣の製造方法である。